(57)【要約】【課題】浴室内を加湿する必要分だけの温水で浴室内を加湿することを目的とする。【解決手段】浴室１内の空気を加湿空気調和装置に取り入れる吸込口１０と、空気を加熱する空気加熱手段と、空気を循環させる循環送風手段と、循環送風手段により浴室１内に空気を送風する吹出口１１と、空気が循環送風手段より吹出口１１に到達するまでに通過する通風路１６と、浴室１内の空気を吸い込み加熱する第一加熱手段と、空気を加湿する加湿部１３を設け、加湿された空気を加熱する第二加熱手段を具備し、第一加熱手段と第二加熱手段との風路間に加湿部１３が配置し、第二加熱手段の下流側に送風部を配置したことにより、必要分だけの水で浴室１内を加湿することができる加湿空気調和装置を得られる。【選択図】図２
2013155959.tif 000002
【特許請求の範囲】
【請求項１】
浴室内の空気を加湿空気調和装置に取り入れる吸込み口と、前記空気を加熱する空気加熱手段と、前記空気を循環させる循環送風手段と、前記循環送風手段により前記浴室内に前記空気を送風する吹出し口と、前記空気が前記循環送風手段より前記吹出し口に到達するまでに通過する通風路と、前記吹出し口から送風された風向を変化させる風向制御手段と、前記浴室を換気する換気手段と、前記加湿空気調和装置を操作し運転状態を表示する操作手段と、運転の制御を行なう運転制御手段とを備え、前記浴室内の空気を吸い込み加熱する第一加熱手段と、取り入れた空気を加湿する加湿部を設け、前記加湿部によって加湿された空気を加熱する第二加熱手段を具備し、第一加熱手段と第二加熱手段との風路間に加湿部が配置し、前記第二加熱手段の下流側に送風部を配置したことを特徴とする加湿空気調和装置。
【請求項２】
第二加熱手段の加熱能力より第一加熱手段を大きくすることを特徴とする請求項１に記載の加湿空気調和装置。
【請求項３】
第二加熱手段と送風手段を、加湿手段の上方に設置したことを特徴とする請求項１に記載の加湿空気調和装置。
【発明の詳細な説明】
【技術分野】
【０００１】
本発明は、本発明は、浴室内の暖房および加湿に使用される加湿空気調和装置に関するものである。
【背景技術】
【０００２】
従来、この種の加湿空気調和装置は、浴室内の空気を取り入れる吸込み口と、前記空気を加熱する空気加熱手段と、吸い込まれた空気を再び浴室に戻す循環風路と、循環送風手段により前記浴室内に前記空気を送風する吹出し口と、前記吹出し口から送風された風向を任意に変化させる風向制御手段と、前記浴室内から吸い込んだ空気を建物の外側に換気する換気手段と、浴室内を加湿する加湿部を備えたものが知られている（例えば、特許文献１参照）。
【０００３】
以下、その加湿空気調和装置について図３を参照しながら説明する。
【０００４】
図３に示すように、浴室内の空気を取り入れる吸込口１０１と、前記空気を加熱する空気加熱手段１０２と、吸い込まれた空気を再び浴室に戻す循環風路と、循環送風手段１０３により前記浴室内に前記空気を送風する吹出口１０４と、前記吹出口１０４から送風された風向を任意に変化させる風向制御手段１０５と、前記浴室内から吸い込んだ空気を建物の外側に換気する換気手段１０６とを備え、前記浴室内の加湿を行う運転のときは、前記空気加熱手段１０２と、前記循環送風手段１０３と、加湿部１０７とを同時に駆動し、前記風向制御手段１０５により、ユーザが任意に吹き出し空気の吹き出し方向を変えることができる構成となっている。
【先行技術文献】
【特許文献】
【０００５】
【特許文献１】特許第４１８１５１７号公報（図２）
【発明の概要】
【発明が解決しようとする課題】
【０００６】
このような従来の加湿空気調和装置では、大量の温水を用いて浴室空間を加湿して浴室内の空気に含まれない温水の余剰分は、浴室排水口から排水しているという課題がある。
【０００７】
本発明は、このような従来の課題を解決するものであり、浴室内を加湿する必要分だけの温水で浴室内を加湿することができる加湿空気調和装置を提供することを目的とする。
【課題を解決するための手段】
【０００８】
そして、この目的を達成するために、本発明は、浴室内の空気を加湿空気調和装置に取り入れる吸込み口と、前記空気を加熱する空気加熱手段と、前記空気を循環させる循環送風手段と、前記循環送風手段により前記浴室内に前記空気を送風する吹出し口と、前記空気が前記循環送風手段より前記吹出し口に到達するまでに通過する通風路と、前記吹出し口から送風された風向を変化させる風向制御手段と、前記浴室を換気する換気手段と、前記加湿空気調和装置を操作し運転状態を表示する操作手段と、運転の制御を行なう運転制御手段とを備え、前記浴室内の空気を吸い込み加熱する第一加熱手段と、取り入れた空気を加湿する加湿部を設け、前記加湿部によって加湿された空気を加熱する第二加熱手段を具備し、第一加熱手段と第二加熱手段との風路間に加湿部が配置し、前記第二加熱手段の下流側に送風部を配置したことを特徴とする加湿空気調和装置としたものであり、これにより所期の目的を達成するものである。
【０００９】
また、他の手段は、第二加熱手段の加熱能力より第一加熱手段を大きくすることを特徴とする加湿空気調和装置としたものである。
【００１０】
また、他の手段は、第二加熱手段と送風手段を、加湿手段の上方に設置したことを特徴とする加湿空気調和装置としたものである。
【発明の効果】
【００１１】
本発明によれば、浴室内の空気を加湿空気調和装置に取り入れる吸込み口と、前記空気を加熱する空気加熱手段と、前記空気を循環させる循環送風手段と、前記循環送風手段により前記浴室内に前記空気を送風する吹出し口と、前記空気が前記循環送風手段より前記吹出し口に到達するまでに通過する通風路と、前記吹出し口から送風された風向を変化させる風向制御手段と、前記浴室を換気する換気手段と、前記加湿空気調和装置を操作し運転状態を表示する操作手段と、運転の制御を行なう運転制御手段とを備え、前記浴室内の空気を吸い込み加熱する第一加熱手段と、取り入れた空気を加湿する加湿部を設け、前記加湿部によって加湿された空気を加熱する第二加熱手段を具備し、第一加熱手段と第二加熱手段との風路間に加湿部が配置し、前記第二加熱手段の下流側に送風部を配置したことにより、浴室内を加湿する必要分だけの温水で浴室内を加湿することができるという効果を得ることができる。
【００１２】
また、加第二加熱手段の加熱能力より第一加熱手段を大きくする構成にしたことにより、加熱運転の省エネおよび加湿運転の最適化を両立できるという効果を得ることができる。
【００１３】
また、第二加熱手段と送風手段を、加湿手段の上方に設置したことを第二加熱手段と送風手段を、加湿手段の上方に設置した構成にしたことにより、第二加熱手段に水滴が付着して温度降下しての能力不足を防ぐことができるという効果を得ることができる。
【図面の簡単な説明】
【００１４】
【図１】本発明の実施の形態１の加湿空気調和装置を浴室に設置した状態を示す斜視図
【図２】同加湿空気調和装置を浴室に設置した状態を示す側構成図
【図３】従来の加湿空気調和装置の側断面図
【発明を実施するための形態】
【００１５】
本発明の請求項１記載の加湿空気調和装置は、浴室内の空気を加湿空気調和装置に取り入れる吸込み口と、前記空気を加熱する空気加熱手段と、前記空気を循環させる循環送風手段と、前記循環送風手段により前記浴室内に前記空気を送風する吹出し口と、前記空気が前記循環送風手段より前記吹出し口に到達するまでに通過する通風路と、前記吹出し口から送風された風向を変化させる風向制御手段と、前記浴室を換気する換気手段と、前記加湿空気調和装置を操作し運転状態を表示する操作手段と、運転の制御を行なう運転制御手段とを備え、前記浴室内の空気を吸い込み加熱する第一加熱手段と、取り入れた空気を加湿する加湿部を設け、前記加湿部によって加湿された空気を加熱する第二加熱手段を具備し、第一加熱手段と第二加熱手段との風路間に加湿部が配置し、前記第二加熱手段の下流側に送風部を配置したという構成を有する。これにより、第一加熱手段と第二加熱手段の下流側に循環送風手段があることで風速を均一化させ効率の良い加湿を行うとともに、第一加熱手段で加熱された空気が加湿部で加湿される際に、気化熱で温度が下がった空気を第二加熱手段で再加熱することで、高温高湿の空気を浴室内に供給するという効果を奏する。
【００１６】
また、第二加熱手段の加熱能力より第一加熱手段を大きくするという構成にしてもよい。これにより、第一加熱手段で加熱された空気が、第二加熱手段を通るときに空気との温度差を小さくでき、暖房運転時に無駄な加熱を省き、加湿運転時の再加熱の必要分を加熱できるという効果を奏する。
【００１７】
また、第二加熱手段と送風手段を、加湿手段の上方に設置した構成にしてもよい。これにより、加湿部に供給された水または温水で、空気に含まれない余剰水による水滴が下流側の第二加熱手段に風の流れによって飛ぶのを防ぐという効果を奏する。
【００１８】
以下、本発明の実施の形態について図面を参照しながら説明する。
【００１９】
（実施の形態１）
図１に示すように、浴室１は浴槽２と、浴槽２と壁などで分断されていない空間である洗い場空間３を備え、天井面４には点検口５および開口部６があり、図２に示す浴室１の天井裏空間７に加湿空気調和装置を形成する本体８を設けて開口部６を介して浴室１に連通している。
【００２０】
なお、図１に示す点検口５は洗い場空間３の直上、開口部６は浴槽２の直上に位置している。
【００２１】
また、図２に示すように、加湿空気調和装置は、浴室１の天井面４にパネル９が設置され、パネル９は吸込口１０と吹出口１１とを備え、加湿空気調和装置の本体８は、吸込口１０の近傍に浴室１の空気を吸込口１０から取り入れた空気を加熱する空気加熱手段としての温水を用いた第一熱交換器１２と、加熱された前記空気を加湿する加湿部１３と、加湿された前記空気を再度加熱する第二熱交換器１４とが配置され、前記第二熱交換器１４に対して吹出口１１側すなわち下流側に空気を循環させる循環送風手段としての循環ファンモータ１５が配置されており、循環ファンモータ１５が駆動することにより、吸込口１０から取り入れた空気は第一熱交換器１２と、加湿部１３と、第二熱交換器１４との順で経由することにより加湿された温風となる。前記温風は、循環ファンモータ１５により浴室１に空気を送風する吹出口１１まで、を繋ぐ通風路１６を通過し吹出口１１に到達する。
【００２２】
さらに、前記温風は、吹出口１１から送風された風向を変化させる風向制御手段としての風向板１７と、前記風向板１７を稼動させる手段としてのモータ好ましくはステッピングモータ（図示せず）により、浴室１の任意の方向へ送風することができる。
【００２３】
なお、第二熱交換器１４と循環ファンモータ１５とは、加湿空気調和装置の本体８が設置された際に加湿部１３に対して上方側に位置している。
【００２４】
また、循環ファンモータ１５として、ファンは例えばシロッコファンを用い、モータはＤＣを用いている。
【００２５】
また、本実施の形態１では空気加熱手段として温水を用いた第一熱交換器１２および第二熱交換器１４とを用いたが、第一熱交換器１２に換えてＰＴＣヒータ、ハロゲンヒータ、シーズヒータ等他の電気式ヒータでも加熱できるものなら何でもよい。
【００２６】
また、第二熱交換器１４も同様にＰＴＣヒータ、ハロゲンヒータ、シーズヒータ等他の電気式ヒータでも加熱できるものなら何でもよい。
【００２７】
また、第二熱交換器１４は、加湿部１３による空気を加湿する際の温度低下分を再加熱する能力分相当の大きさ、すなわち第一熱交換器１２より加熱能力が小さいものでもよい。
【００２８】
また、加湿部１３は、水を霧状に噴射するノズル形式、回転体による遠心力を利用し水滴を破砕する形式、多孔質フィルタによる気化形式など加湿方式は加湿できるものなら何でもよい。
【００２９】
そして、前記加湿空気調和装置は、図１に示す本体８の点検口５側の外部に浴室１の空気を屋外に排出する換気手段としての図２に示す換気ファンモータ１８を備えた換気部１９をねじ止めさせて設け、換気部１９と本体８を連通し、連通する開口形状（開口面積に相当）を調節するダンパ２０を備え、浴室１の換気を行うことができる。
【００３０】
なお、ダンパ２０なし、本体８内部に換気手段を備えた加湿空気調和装置、または外部換気装置と加湿空気調和装置とをダクト配管を介して連通する構成でも良い。
【００３１】
また、前記加湿空気調和装置は、運転の制御を行なう運転制御手段としての電装基板２１と、前記加湿空気調和装置を脱衣室２２内から操作し運転状態を表示する操作手段として、脱衣室２２内の手の届く壁面に脱衣室リモコン２３と、前記加湿空気調和装置を浴室１内から操作し運転状態を表示する操作手段として、浴室１内の手の届く壁面に浴室リモコン２４とを備え、脱衣室リモコン２３および浴室リモコン２４からの操作により、加湿空気調和装置の運転を行うことができる。
【００３２】
図２に示すように、浴室リモコン２４もしくは脱衣室リモコン２３を操作することで浴室１内に吹き出す温風の風向を変化させることができる。風向板１７は運転モード毎に使用者（ユーザ）が設定した角度Ａ０となるが、その角度Ａ０の設定はあらかじめ設定されているいくつかの設定角度から使用者が選択するものであり、図１に示す洗い場空間３に向けて設定するのが一般的である。
【００３３】
なお、角度とは、天井面４と風向板１７との間の洗い場空間３側の角度である。
【００３４】
また、使用者は、運転モードの運転時間Ｔ０すなわち運転終了時間を設定することができる（例えは、最小時間１０分、最大１時間まで１０分ごとに運転継続時間を設定できる）。
【００３５】
そして、循環ファンモータ１５が作動すると吸込口１０から吸い込まれた空気は第一熱交換器１２と、加湿部１３と、第二熱交換器１４および通風路１６の順を経て吹出口１１へ到達し、風向板１７により定められた角度Ａ０で浴室１に吹き出され、浴室１内を加湿された温風で温度・湿度を上昇させた空間すなわち高温高湿のサウナ空間を作り出す。
【００３６】
なお、浴室１内の空気は次第に温度と湿度が上昇変化していくため、吸い込み空気の温度および湿度を本体８内に設けられた吸込口１０付近の吸い込んだ浴室１内の空気が通る箇所に温度センサ２５と湿度センサ２６により検知を行い、温度が設定された温度閾値を超えた場合は、循環ファンモータ１５による送風量を減少させる、または循環ファンモータ１５を停止させる構成であっても良い。これ以上空気の温度を上昇させる必要がないので、循環ファンモータの回転数を減少または停止させ、省エネ性を向上させることができる。
【００３７】
また、湿度が上昇し、湿度センサ２６によって検知された数値が、設定された湿度閾値を超えた場合は、加湿部１３の加湿機能を停止させる構成であっても良い。これ以上空気の湿度を上昇させる必要がないので、加湿機能を停止させ、省エネ性を向上させることができる。
【産業上の利用可能性】
【００３８】
本発明にかかる加湿空気調和装置は、対象空間を暖房および加湿する目的の機能を有する機器を対象に適用できる。
【符号の説明】
【００３９】
１    浴室
２    浴槽
３    洗い場空間
４    天井面
５    点検口
６    開口部
７    天井裏空間
８    本体
９    パネル
１０  吸込口
１１  吹出口
１２  第一熱交換器
１３  加湿部
１４  第二熱交換器
１５  循環ファンモータ
１６  通風路
１７  風向板
１８  換気ファンモータ
１９  換気部
２０  ダンパ
２１  電装基板
２２  脱衣室
２３  脱衣室リモコン
２４  浴室リモコン
２５  温度センサ
２６  湿度センサ
【図１】
2013155959.tif 000003
【図２】
2013155959.tif 000004
【図３】
2013155959.tif 000005